(57)【要約】【課題】作業場所が変わっても綺麗に草を刈ることができる高性能で使い易い草刈具を提供する。【解決手段】草を刈る刃が形成されている刃板２と、先端近傍が刃板２に固定され刃板２を後面２３方向から支持する第１の柄部１１と、先端側が第１の柄部１１の後端側に取り外し自在に内嵌された第２の柄部１２と、先端側が第２の柄部１２の後端側に摺動自在に外嵌された第３の柄部１３と、先端近傍が第３の柄部１３の後端近傍に回動自在に取り付けられた第４の柄部１４と、を具備する。このような構成により、作業者は、作業状況に対応して柄３の長さを適切に調整することができ、効率良く草を刈ることができる。【選択図】図１
0003230980.tif 000002
【実用新案登録請求の範囲】
【請求項１】
草を刈る刃が形成されている刃板と、
先端近傍が前記刃板に固定され前記刃板を後面方向から支持する第１の柄部と、
先端側が前記第１の柄部の後端側に取り外し自在に内嵌された第２の柄部と、
先端側が前記第２の柄部の後端側に摺動自在に外嵌された第３の柄部と、
先端近傍が前記第３の柄部の後端近傍に回動自在に取り付けられた第４の柄部と、を具備することを特徴とする草刈具。
【請求項２】
前記刃板の前記刃に対して反対側の辺部近傍には、前記辺部に沿った方向に延在する円柱状または円管状の支持軸部が設けられており、
前記第１の柄部には、前記支持軸部が回動自在に内嵌される円筒状の刃板支持筒が設けられていることを特徴とする請求項１に記載の草刈具。
【請求項３】
前記支持軸部は、雄ねじ状に形成され、
前記刃板支持筒は、前記支持軸部が嵌合する雌ねじ状に形成されていることを特徴とする請求項２に記載の草刈具。
【請求項４】
前記第３の柄部に設けられ前記第２の柄部の外面に当接して前記第２の柄部を固定する摺動自在なピン部材と、
前記ピン部材を前記第２の柄部から離間する方向に押圧するピン用ばね部材と、
前記第３の柄部に摺動自在に外嵌され内周側に傾斜部が形成されており前記傾斜部で前記ピン部材を押圧するスライドロック部材と、
前記傾斜部が前記ピン部材を押圧するように前記スライドロック部材を前記第３の柄部の長さ方向に押圧するばね部材と、を有することを特徴とする請求項１から請求項３の何れか１項に記載の草刈具。
【考案の詳細な説明】
【技術分野】
【０００１】
本考案は、庭や畑等の雑草刈りに用いられる草刈具に関する。
【背景技術】
【０００２】
従来、庭や田畑、あぜ道等において雑草を刈るために用いられる手作業具として、把手部材である柄の先端に雑草等を切断する刃板を備えた草刈具が知られている。
【０００３】
例えば、特許文献１には、把持部が取付けられた基板と、その基板に形成されて斜め上方に傾斜する傾斜部と、傾斜部の先端に備えられている切断刃部と、傾斜部の先端に間隔を空けて突設された複数の突状体と、を備える草刈具が開示されている。
【０００４】
また例えば、特許文献２には、柄の先端に適宜形状の刃部を設け、後端に取手を設けた除草具が開示されている。同文献に開示された除草具は、刃部への柄の先端の取付位置が刃部の長さ方向の端部であり、かつ刃部の刃先とは反対側に、手を添えて持てるようにした丸棒状の厚肉部が形成されている。
【先行技術文献】
【特許文献】
【０００５】
【特許文献１】実用新案登録第３２１７１３０号公報
【特許文献２】特開２００９−０４５０４６号公報
【考案の概要】
【考案が解決しようとする課題】
【０００６】
しかしながら、上記した従来技術の草刈具では、草刈りの場所によっては作業が難しく、適切な草取りができないという問題点があった。
【０００７】
具体的には、柄の先端に雑草等を掻く刃板が設けられる構成の草刈具では、好適な草刈り作業を行うために、適切な長さの柄が求められる。しかしながら、特許文献１または特許文献２に開示された従来技術の手作業具は、作業場所に応じて柄の長さを調整できる構成ではなかった。
【０００８】
そのため、従来技術の草刈具では、場所によっては柄の長さが足りずに刃板が草に届かなかったり、その逆に柄が長すぎて邪魔になったりして、草を掻きだせないことがある。例えば、繁みの下においては、思うように柄を潜り込ませることが大変である。また、手元の草を取るには、短い柄が欲しい。
【０００９】
また、この種の草刈具では、好適に草を刈るために、柄に対する刃板の取り付け角度も大変重要である。しかしながら、上記した従来技術の手作業具は、作業状況に応じて刃板の角度を調整できる構成ではなかった。そのため、作業場所によっては草を刈り取ることができなかった。例えば、塀の際や作業地の四隅部等においては、草を掻きだすことが難しく、上手く草刈りができなかった。
【００１０】
本考案は、上記の事情に鑑みてなされたものであり、その目的とするところは、作業場所が変わっても綺麗に草を刈ることができる高性能で使い易い草刈具を提供することにある。
【課題を解決するための手段】
【００１１】
本考案の草刈具は、草を刈る刃が形成されている刃板と、先端近傍が前記刃板に固定され前記刃板を後面方向から支持する第１の柄部と、先端側が前記第１の柄部の後端側に取り外し自在に内嵌された第２の柄部と、先端側が前記第２の柄部の後端側に摺動自在に外嵌された第３の柄部と、先端近傍が前記第３の柄部の後端近傍に回動自在に取り付けられた第４の柄部と、を具備することを特徴とする。
【考案の効果】
【００１２】
本考案の草刈具によれば、先端近傍が草を刈る刃を有する刃板に固定され刃板を後面方向から支持する第１の柄部と、先端側が第１の柄部の後端側に取り外し自在に内嵌された第２の柄部と、先端側が第２の柄部の後端側に摺動自在に外嵌された第３の柄部と、を具備する。これにより、第２の柄部を第１の柄部から取り外して、柄の全長を短くすることができる。また、第１の柄部の後端側に第２の柄部及び第３の柄部を取り付けて柄部の全長を長くすることができる。そして、第２の柄部を第３の柄部の内部にスライドさせ、柄全体の長さを調節することができる。よって、作業者は、作業場所に応じて草刈具の柄の長さを好適なものとして、草刈り作業を効率良く行うことができる。
【００１３】
また、本考案の草刈具は、先端近傍が第３の柄部の後端近傍に回動自在に取り付けられた第４の柄部を有する。これにより、第４の柄部を回動させて、柄の全長を調節することができる。即ち、第４の柄部が第３の柄部の後端近傍から更に後方に延在するようにして柄の全長を長くすることもできるし、第４の柄部をその前端近傍の回動軸を中心として折り返して第３の柄部に沿わせるようにして柄の全長を短くすることも可能である。また、第４の柄部を第３の柄部に対して所定の角度で傾いた状態にすることもできる。これにより、作業者は、柄の長さを好適に調整できると共に、例えば、第４の柄部を傾かせて、上方の障害物を避けるように刃板を送って草刈りをすることもできる。
【００１４】
また、本考案の草刈具によれば、前記刃板の前記刃に対して反対側の辺部近傍には、前記辺部に沿った方向に延在する円柱状または円管状の支持軸部が設けられており、前記第１の柄部には、前記支持軸部が回動自在に内嵌される円筒状の刃板支持筒が設けられても良い。このような構成により、柄に対する刃板の角度を調整することができる。つまり、草刈り作業を行う地面に対する刃板の角度を調整することができる。これにより、従来技術の草刈具では草を刈ることができなかった塀や壁の際、作業地の四隅部等においても、綺麗に草を刈ることができる。
【００１５】
また、本考案の草刈具によれば、前記支持軸部は、雄ねじ状に形成され、前記刃板支持筒は、前記支持軸部が嵌合する雌ねじ状に形成されても良い。このような構成より、作業中に刃板がずれないように、刃板の支持軸部をしっかりと支持することができる。よって、作業者は、安全に効率良く草刈り作業を行うことができる。
【００１６】
また、本考案の草刈具によれば、前記第３の柄部に設けられ前記第２の柄部の外面に当接して前記第２の柄部を固定する摺動自在なピン部材と、前記ピン部材を前記第２の柄部から離間する方向に押圧するピン用ばね部材と、前記第３の柄部に摺動自在に外嵌され内周側に傾斜部が形成されており前記傾斜部で前記ピン部材を押圧するスライドロック部材と、前記傾斜部が前記ピン部材を押圧するように前記スライドロック部材を前記第３の柄部の長さ方向に押圧するばね部材と、を有しても良い。このような構成により、作業者は、スライドロック部材をスライドさせてピン部材による第２の柄部の固定を解除して、第２の柄部を前記第３の柄部から容易にスライドさせることができる。よって、作業者は、作業状況に応じて草刈具の柄の全長を容易に調整することができ、効率的な草刈り作業を行うことができる。
【図面の簡単な説明】
【００１７】
【図１】本考案の実施形態に係る草刈具の側面図である。
【図２】本考案の実施形態に係る草刈具の正面図である。
【図３】本考案の実施形態に係る草刈具の刃板近傍の側面図である。
【図４】本考案の実施形態に係る草刈具の側面断面図である。
【図５】本考案の実施形態に係る草刈具の柄を（Ａ）短くした状態、（Ｂ）長くした状態、（Ｃ）更に長くした状態を示す側面図である。
【図６】本考案の実施形態に係る草刈具の第２の柄部、第３の柄部及び第４の柄部を取り外した状態を示す側面図である。
【図７】本考案の実施形態に係る草刈具のスライドロック部材近傍を示す拡大断面図である。
【図８】本考案の実施形態に係る草刈具のスライドロック部材近傍のロックを解除した状態を示す拡大断面図である。
【図９】本考案の実施形態に係る草刈具の第４の柄部の回転機構を示す平面図である。
【図１０】本考案の実施形態に係る草刈具の第５の柄部及び第６の柄部を設けた例を示す側面図である。
【考案を実施するための形態】
【００１８】
以下、本考案の実施形態に係る草刈具１を図面に基づき詳細に説明する。
図１は、本考案の実施形態に係る草刈具１の概略構成を示す側面図である。
図１を参照して、草刈具１は、庭や田畑、あぜ道等において雑草を刈り取る作業、即ち除草作業、に用いられる手作業具である。草刈具１は、雑草等を刈る刃が形成されている刃板２と、刃板２を支持する柄３と、を有する。
【００１９】
刃板２は、先端側、即ち図１の紙面に向かって下方、に形成された刃部２０で草の茎や根を切り取る若しくは掻きむしる部材である。刃板２の柄３側、即ち図１の紙面に向かって右側、の後面２３は、草刈り作業で草を集める際に、切り取られる等した草に当てられてその草を押す。
【００２０】
柄３は、草刈り作業時に作業者が把持する部分である。なお、以下の説明では、柄３については、刃板２側、即ち図１の紙面において左側、を先端と称し、その反対側、即ち紙面右側、を後端と称する。
【００２１】
柄３は、先端近傍が刃板２に固定され刃板２を後面２３方向から支持する第１の柄部１１と、第１の柄部１１の後端側に内嵌された第２の柄部１２と、第２の柄部１２の後端側に外嵌された第３の柄部１３と、第３の柄部１３の後端近傍に取り付けられた第４の柄部１４と、から構成されている。
【００２２】
第１の柄部１１、第２の柄部１２、第３の柄部１３及び第４の柄部１４は、例えば、鋼管や合成樹脂製の管材等から形成されても良く、その形状は、略角管状または略円管状等であっても良い。
【００２３】
詳しくは、第１の柄部１１、第２の柄部１２、第３の柄部１３及び第４の柄部１４は、特に、略角管状の形態を成す鋼管が適しており、その鋼管の外面部は、合成樹脂から成るカバー材料に覆われていることが望ましい。これにより、草刈りに必要な強度が得られると共に、作業者が把持し易く、力を加え易い、使い勝手の良い草刈具１が得られる。
【００２４】
図２は、草刈具１の正面図である。
図２を参照して、刃板２は、例えば鋼板若しくは合成樹脂製の板材等から形成され、先端側辺部近傍に、草の茎や根を切断可能な刃を有する刃部２０が形成されている。
【００２５】
図３は、草刈具１の刃板２近傍の側面図である。
図２及び図３を参照して、刃板２の後端側、即ち図２の紙面に向かって上側には、刃板２を柄３に対して回動自在に支持するための支持軸部２１が形成されている。
【００２６】
支持軸部２１は、略円柱状若しくは略円管状の形態を成し、刃部２０に対して反対側の辺部近傍に設けられ、その辺部に沿った方向に延在する。そして、支持軸部２１は、第１の柄部１１の先端部近傍に形成されている略円筒状の形態を成す刃板支持筒２４に内嵌され回動自在に支持されている。
【００２７】
即ち、刃板２は、柄３に対して角度変更自在に支持されている。このような構成により、作業者は、柄３に対する刃板２の角度を作業場所に応じて好適に調整することができる。換言すれば、草刈り作業を行う地面に対する刃板２の角度を好適に調整することができる。
【００２８】
例えば、柄３と刃板２との成す角度を９０度以上にして、刃板２の刃部２０を柄３の先端よりも前方、即ち図３において紙面左方向、に突出させることもできる。これにより、作業者は、従来技術の草刈具では草を刈ることができなかった塀や壁の際、作業地の四隅部等においても、綺麗に草を刈ることができる。
【００２９】
また、刃板支持筒２４には、所定の角度で支持軸部２１を固定するためのピン部材としてのピン２５と、ピン２５を引っ張るばね部材としてのスプリング２６が設けられている。ピン２５は、外周側から刃板支持筒２４に挿入され、支持軸部２１の外周の所定の位置に複数形成された角度調整の位置決め用のピン穴２２に嵌められ、刃板２を所定の角度で固定する。
【００３０】
スプリング２６は、例えば、ピン２５をピン穴２２に挿入する方向に向かって引っ張る引張コイルばねである。これにより、作業中には、刃板２が回動しないよう所定の角度で固定されることになる。よって、作業者は安全で効率的な作業を行うことができる。
【００３１】
また例えば、スプリング２６は、圧縮コイルばねであっても良い。その場合、スプリング２６の上端は、刃板支持筒２４に設けられた図示しないスプリング支持部材に支持され、スプリング２６の下端は、ピン２５に設けられた図示しないスプリング支持部に当接してピン２５をピン穴２２に向かって押圧する。なお、ピン２５に力を加えるばね部材は、その他形状の弾性部材であっても良い。
【００３２】
そして、刃板２の角度を調整する際には、作業者は、ピン２５を刃板支持筒２４の外周側に向かって引いて、ピン２５による支持軸部２１のロックを解除する。これにより、作業者は、刃板２の角度を容易に調整することができる。
【００３３】
また、支持軸部２１は、雄ねじ状に形成されても良い。そして、刃板支持筒２４は、雄ねじ状に形成された支持軸部２１が嵌合するよう、雌ねじ状に形成されても良い。具体的には、支持軸部２１の外周及び刃板支持筒２４の内周には、摺動自在に嵌合する、例えば、台ねじが形成されている。
【００３４】
このような構成により、作業中に刃板２が支持軸部２１の軸方向にずれないように、刃板２の支持軸部２１をしっかりと支持することができる。よって、作業者は、好適な角度に調整され且つ柄３にしっかりと保持された刃板２で、安全に効率良く草刈り作業を行うことができる。
【００３５】
図４は、草刈具１の側面断面図である。
図４に示すように、第１の柄部１１の後端側には、第２の柄部１２の先端側が取り外し自在且つ摺動自在に内嵌されている。第２の柄部１２の後端側には、第３の柄部１３が摺動自在に外嵌されている。
【００３６】
即ち、第２の柄部１２は、その前端側が第１の柄部１１の後端側に内嵌され、後端部が第３の柄部１３の前端側に内嵌され、第１の柄部１１と第３の柄部１３は、第２の柄部１２を介して接近離間自在に連結されている。これにより、第１の柄部１１と第２の柄部１２または第２の柄部１２と第３の柄部１３を長手方向にスライドさせて、柄３全体の長さを変更することができる。
【００３７】
なお、第１の柄部１１及び第３の柄部１３の長さは、例えば、約３００〜７００ｍｍである。例えば、第１の柄部１１の長さを約３００ｍｍとし、第３の柄部１３の長さを約７００ｍｍとしても良い。第１の柄部１１と第３の柄部１３を連結する第２の柄部１２の長さは、第１の柄部１１及び第３の柄部１３それぞれの長さよりも長く、第１の柄部１１と第３の柄部１３の合計長さより短いことが望ましい。具体的には、第２の柄部１２の長さは、約６００〜１４００ｍｍであり、例えば、約１０００ｍｍとしても良い。
【００３８】
第２の柄部１２の長さを第１の柄部１１及び第３の柄部１３それぞれの長さよりも長くすることにより、柄３の全長を長く延長することができる。また、第２の柄部１２の長さを第１の柄部１１と第３の柄部１３の合計長さより短くすることにより、図５（Ａ）を参照して後述するが、第１の柄部１１の後端と第３の柄部１３の先端が接触するほど柄３の全長を短くすることができる。
【００３９】
第１の柄部１１の後端近傍には、第２の柄部１２のスライドをロックするためのロック機構２７が設けられている。ロック機構２７は、図示しないピン部材と、そのピン部材によるロックを解除するためのスライドロック部材としてのスライドロック２８と、スライドロック２８を第２の柄部１２のスライドをロックする方向に押圧して摺動自在に支持するばね部材としてのスプリング２９と、を有する。
【００４０】
また、第１の柄部１１の後端近傍と同様に、第３の柄部１３の前端近傍には、第２の柄部１２のスライドをロックするロック機構３０が設けられている。即ち、第３の柄部１３の前端近傍には、第２の柄部１２のスライドをロックするためのピン３１（図７参照）と、ロックを解除するためのスライドロック部材としてのスライドロック３５と、スライドロック３５を摺動自在に支持するばね部材としてのスプリング３７と、が設けられている。詳細については後述する。
【００４１】
なお、図示を省略するが、ロック機構２７、３０は、第１の柄部１１及び第３の柄部１３に管内に突出する凸部が形成され、第２の柄部１２に外面から凹む凹部が形成され、その凸部と凹部が係合することにより嵌合が固定される構成でも良い。
【００４２】
第４の柄部１４は、その先端近傍が第３の柄部１３の後端近傍に回動自在に取り付けられている。詳しくは、第３の柄部１３の後端近傍には、第４の柄部１４を支持するための支持部４２が設けられている。そして、第３の柄部１３の後端近傍若しくは第４の柄部１４の先端近傍には、支持部４２によって支持される略円柱状若しくは略円管状の回動軸４１が設けられている。なお、第４の柄部１４の長さは、例えば、約３００〜７００ｍｍ、好ましくは約６００ｍｍである。
【００４３】
そして、第４の柄部１４は、回動軸４１及び支持部４２を介して、第３の柄部１３に対して回動自在に支持されている。よって、回動軸４１を中心として第４の柄部１４を回動させて、柄３の全長を調節することができる。
【００４４】
図５は、草刈具１の側面図であり、図５（Ａ）は柄３を短くした状態、図５（Ｂ）は柄３を長くした状態、図５（Ｃ）は柄３を更に長くした状態を示している。
図５（Ａ）に示すように、第１の柄部１１と第３の柄部１３をスライドさせて近づけると共に、第４の柄部１４をその前端近傍の回動軸４１を中心として折り返すように回動して第３の柄部１３に沿わせるようにし、柄３の全長を短くすることが可能である。
【００４５】
前述のとおり、第２の柄部１２の長さは、第１の柄部１１と第３の柄部１３の合計長さよりも短いので、第１の柄部１１の後端と第３の柄部１３の先端が接触する程度に柄３の全長を短くすることができる。例えば、第１の柄部１１が長さ約３００ｍｍ、第３の柄部１３が長さ約７００ｍｍである場合には、柄３の全長は約１ｍになる。
【００４６】
図５（Ｂ）に示すように、第４の柄部１４を回動させて第３の柄部１３の後端近傍から更に後方に延在するようにして、柄３の全長を長くすることもできる。例えば、第４の柄部１４の長さが約６００ｍｍであれば、柄３の全長は上記の例よりも約６００ｍｍ長くなり、約１６００ｍｍになる。
【００４７】
また、図５（Ｃ）に示すように、第２の柄部１２を軸として、そこに外嵌されている第１の柄部１１及び第３の柄部１３を長手方向にスライドさせて、柄３全体を更に長くすることもできる。例えば、第２の柄部１２の長さが約１０００ｍｍであれば、第１の柄部１１及び第３の柄部１３との嵌合長さをそれぞれ約２００ｍｍ維持したとしても、柄３の長さを最長で更に約６００ｍｍ延長することができる。即ち、柄３の全長を最長で約２２００ｍｍにすることができる。
【００４８】
なお、図示を省略するが、第４の柄部１４が折り返されている状態で、第１の柄部１１と第３の柄部１３をスライドして第１の柄部１１と第３の柄部１３との間隔を調整することも可能である。
【００４９】
また、図示を省略するが、第４の柄部１４は、第３の柄部１３に対して傾斜するように固定されても良い。例えば、第４の柄部１４を第３の柄部１３に対して約９０度の角度にして草刈りを行うこともできる。このように第４の柄部１４を傾斜させることにより、上方に障害物がある場所において、柄３の第１の柄部１１から第３の柄部１３までを水平に近くして、刃板２を障害物の下方の奥まで挿入して草刈りを行うことができる。
【００５０】
図６は、草刈具１の第２の柄部１２、第３の柄部１３及び第４の柄部１４を取り外した状態を示す側面図である。
図６に示すように、第２の柄部１２は、第１の柄部１１から取り外し自在である。第２の柄部１２が第１の柄部１１から引き抜かれることにより、草刈具１の柄３は、第２の柄部１２、第３の柄部１３及び第４の柄部１４が取り外された状態となり、第１の柄部１１のみから構成されることになる。
【００５１】
よって、第２の柄部１２を第１の柄部１１から引き抜くという容易な作業で、柄３の全長が図５（Ａ）に示す状態よりも更に短い草刈具１が得られる。具体的には、柄３の全長を約３００ｍｍにすることができる。これにより、作業者は、近くにある雑草を綺麗に刈り取ることができる。
図５及び図６に示したように、作業者は、作業状況に応じて草刈具１の柄３の長さを好適なものとして、草刈り作業を効率良く行うことができる。
【００５２】
図７は、スライドロック３５近傍を示す拡大断面図であり、図４に示すＡ部近傍を示している。
図７に示すように、第３の柄部１３の先端近傍には、第２の柄部１２のスライドを解除自在にロックする機構が設けられている。なお、説明を省略するが、第１の柄部１１（図１参照）の後端近傍にも第２の柄部１２のスライドを解除自在にロックする同様の機構が設けられても良い。
【００５３】
第３の柄部１３の先端近傍には、第２の柄部１２の外面に当接して第２の柄部１２を固定する摺動自在なピン部材としてのピン３１が設けられている。
第２の柄部１２の外面には、柄３の全長を決める所定の複数箇所に、ピン３１が挿入されるピン穴３２が形成されている。ピン３１がピン穴３２に挿入されることにより、第２の柄部１２の移動が制限される。
【００５４】
第３の柄部１３は、ピン３１を外側に押圧するピン用ばね部材としてのスプリング３３と、ピン３１を外側から支持するピンストッパ３４と、が設けられている。
【００５５】
スプリング３３は、圧縮コイルばねであり、ピン３１に嵌められ、ピン３１を第２の柄部１２から離間する方向、即ちピン穴３２から抜く方向、に押圧する。スプリング３３が設けられていることにより、ロックを解除する際、ピン３１をピン穴３２から容易に抜くことができる。
【００５６】
ピンストッパ３４は、ピン３１の外側からピン３１を第２の柄部１２方向に押圧して支持する弾性変形自在な部材である。ピンストッパ３４は、例えば板ばね等から形成されても良い。ピンストッパ３４は、その後端近傍が第３の柄部１３に固定され、先端側が開くように傾斜しており、ピン３１が脱落しないようピン３１の頭部を支持した状態で弾性変形する。
【００５７】
また前述のとおり、第３の柄部１３は、ピンストッパ３４を介してピン３１を支持するスライドロック３５と、スライドロック３５を柄３の長手方向に押圧するスプリング３７と、を有する。
【００５８】
スライドロック３５は、ピン３１によるスライドのロックを解除するための部材であり、第３の柄部１３の先端近傍に摺動自在に外嵌されている。スライドロック３５の内周側には、ピンストッパ３４に当接し、ピンストッパ３４を介してピン３１の頭部を外側から押圧して支持する傾斜部３６が形成されている。
【００５９】
傾斜部３６は、先端側が第３の柄部１３の外面から離れ、後端側が第３の柄部１３の外面に近くなるよう形成されている。即ち、傾斜部３６において、スライドロック３５と第３の柄部１３との間隙は、先端側が広く、後端側が狭く形成されている。
【００６０】
スプリング３７は、例えば圧縮コイルばねであり、スライドロック３５の傾斜部３６がピンストッパ３４を介してピン３１を押圧するようにスライドロック３５を押圧する。詳しくは、スプリング３７は、その先端がスライドロック３５の後端近傍に当接し、後端が第３の柄部１３に当接するよう設けられ、スライドロック３５を摺動方向の先端側に向かって押圧している。
【００６１】
このような構成により、使用時には、スプリング３７の押圧によって、スライドロック３５が先端側に押され、傾斜部３６が当接するピンストッパ３４を介してピン３１がピン穴３２方向に押圧される。これにより、ピン３１の外れが抑制され、第２の柄部１２のスライドがロックされた状態で、作業者は安全に作業を行うことができる。
【００６２】
図８は、スライドのロックを解除した状態のスライドロック３５近傍を示す拡大断面図である。
図８に示すように、第２の柄部１２をスライドさせて柄３の長さを調整する際には、作業者は、スライドロック３５を後端側にスライドさせる。
【００６３】
これにより、スライドロック３５の傾斜部３６も後端側に移動し、傾斜部３６に抑えられていたピンストッパ３４は、その先端側が外側、即ちピン３１がピン穴３２から抜ける方向、に変形する。そうすると、スプリング３３の伸びによって押圧されてピン３１がピン穴３２から引き抜かれ、ピン３１による第２の柄部１２のロックが解除される。
そして、作業者は、ピン３１のロックを解除した状態で、第２の柄部１２と第３の柄部１３を長さ方向にスライドさせて柄３の長さを変更することができる。
【００６４】
このように作業者は、スライドロック３５をスライドさせてピン３１による第２の柄部１２の固定を解除して、第２の柄部１２を第３の柄部１３から容易にスライドさせることができる。また、説明を省略したが、スライドロック２８（図１参照）をスライドさせることにより、第１の柄部１１（図１参照）に対しても同様にスライドさせることができる。よって、作業者は、作業状況に応じて草刈具１の柄３の全長を容易に調整することができ、効率的な草刈り作業を行うことができる。
【００６５】
図９は、第４の柄部１４の回転機構の概略構成を示す平面図である。
図９を参照して、第４の柄部１４の回転機構を構成する回動軸４１には、第４の柄部１４を所定の角度で固定するための凹凸部４３が形成されていても良い。
【００６６】
第３の柄部１３の支持部４２には、回動軸４１の凹凸部４３に係合する係合部４４が形成されている。係合部４４は、例えば、凹凸部４３と略同等の凹凸形状を成し、凹凸部４３に対して係脱自在となるよう軸方向に移動自在に設けられている。係合部４４は、図示しないばね部材によって、凹凸部４３に係合する方向に押圧されている。
なお、ばね部材としては、取り付け位置によって、例えば、圧縮コイルばね、引張コイルばね及び板バネ等、各種のばね部材を利用することができる。
【００６７】
このような構成により、回動軸４１は、係合部４４が凹凸部４３に係合する回動位置において固定され支持部４２に支持される。よって、作業者は、第４の柄部１４を第３の柄部１３に対して所定の角度で固定することができる。
【００６８】
そして、係合部４４は軸方向に移動自在であり、凹凸部４３と係脱自在であるので、第４の柄部１４の角度を変更する際には、回動軸４１を中心として第４の柄部１４を容易に回動させることができる。
【００６９】
なお、前述のとおり、草刈具１は、第４の柄部１４の回動によって係脱する凹凸部４３及び係合部４４が設けられているので、第４の柄部１４を回動させると凹凸部４３と係合部４４の係脱によってカチカチと接触音が発生する。この接触音により、作業者は、凹凸部４３と係合部４４が係合した状態、即ち第４の柄部１４が所定の角度に調整されたことを知ることができる。
【００７０】
また、第３の柄部１３の支持部４２には、係合部４４及び凹凸部４３による固定位置に対応する角度において、第４の柄部１４の回動軸４１の回動をロックできるピン４５が設けられても良い。
【００７１】
回動軸４１には、係合部４４及び凹凸部４３による固定位置に対応する角度において、ピン４５が挿入される複数の所定の位置にピン穴４６が形成されている。ピン４５がピン穴４６に係合することにより、安全な草刈り作業ができるよう、第４の柄部１４を固定することができる。
【００７２】
なお、使用時にピン４５が外れてしまうことを防止するため、ピン４５をピン穴４６に挿入する方向に押圧する図示しないばね部材が設けられても良い。ばね部材としては、例えば圧縮コイルばね等であるが、取り付け形状に応じて引張コイルばね、板バネ等、各種のばね部材を利用することができる。
【００７３】
このような構成により、ピン４５の嵌合によって回動軸４１の回動をロックし、作業時に第４の柄部１４が回動することを抑止できる。よって、作業者は、第４の柄部１４が所定の角度に調整された草刈具１を用いて、安全で効率的な草刈り作業を行うことができる。
【００７４】
図１０は、草刈具１に第５の柄部１５及び第６の柄部１６を更に設けた例を示す側面図である。
図１０に示すように、草刈具１は、更に第５の柄部１５及び第６の柄部１６が設けられても良い。第５の柄部１５は、第３の柄部１３と略同等の部材であり、第６の柄部１６は、第２の柄部１２と略同等の部材である。
【００７５】
第５の柄部１５は、その先端側に第２の柄部１２が内嵌され摺動自在に支持され、後端側に第６の柄部１６が内嵌され摺動自在に支持される。そして、第６の柄部１６の後端側は、第３の柄部１３の先端側に内嵌され摺動自在に支持されている。
【００７６】
第５の柄部１５の先端近傍には、第２の柄部１２に対する摺動をロックするためのロック機構４８が設けられており、第５の柄部１５の後端近傍には、第６の柄部１６に対する摺動をロックするためのロック機構４９が設けられている。ロック機構４８、４９の構成は、既に説明した第３の柄部１３の先端近傍のロック機構３０と略同等である。
【００７７】
このように、第５の柄部１５及び第６の柄部１６が取り付けられることにより、柄３の全長を更に長くすることができる。よって、作業者は、障害物や傾斜等があって近づくことが難しく、遠く離れた場所にある雑草等であっても、安全に刈り取ることができる。
なお、第５の柄部１５及び第６の柄部１６と略同等の図示しない柄部材を更に追加することにより、草刈具１の柄３の全長を更に長くすることも可能である。
【００７８】
以上説明の如く、本実施形態に係る草刈具１によれば、作業者は、作業場所が変わっても、それに対応して刃板２の角度及び柄３の長さを適切に調整することができ、綺麗に且つ効率良く草を刈ることができる。
【００７９】
なお、本考案は、上記実施形態に限定されるものではなく、その他、本考案の要旨を逸脱しない範囲で、種々の変更実施が可能である。
【符号の説明】
【００８０】
１      草刈具
２      刃板
３      柄
１１    第１の柄部
１２    第２の柄部
１３    第３の柄部
１４    第４の柄部
１５    第５の柄部
１６    第６の柄部
２０    刃部
２１    支持軸部
２２    ピン穴
２３    後面
２４    刃板支持筒
２５    ピン
２６    スプリング
２７    ロック機構
２８    スライドロック
２９    スプリング
３０    ロック機構
３１    ピン
３２    ピン穴
３３    スプリング
３４    ピンストッパ
３５    スライドロック
３６    傾斜部
３７    スプリング
４１    回動軸
４２    支持部
４３    凹凸部
４４    係合部
４５    ピン
４６    ピン穴
４８    ロック機構
４９    ロック機構
【図１】
0003230980.tif 000003
【図２】
0003230980.tif 000004
【図３】
0003230980.tif 000005
【図４】
0003230980.tif 000006
【図５】
0003230980.tif 000007
【図６】
0003230980.tif 000008
【図７】
0003230980.tif 000009
【図８】
0003230980.tif 000010
【図９】
0003230980.tif 000011
【図１０】
0003230980.tif 000012